(57)【要約】【課題】  ＴＶ電波の受信状況に応じて電源供給を制御し、消費電流の削減及び装置の使用可能時間を延長させることが可能な携帯型受像装置及び携帯端末装置を提供する。【解決手段】  電池１８を電源にして動作し、屋外でのＴＶ放送の受信が可能な携帯型受像装置１において、ＣＰＵ１３は、ＴＶ信号受信部１２の受信レベルをタイマ２４の設定タイミングで検出し、受信レベルを予め設定した閾値と比較し、閾値以下になったときにはＴＶ信号受信部１２への電源供給を断ち、その後、タイマ２４の設定タイミングでＴＶ信号受信部１２を間欠的に動作させて受信レベルを検出し、その受信レベルが閾値を越えればＴＶ信号受信部１２への電源供給を再開する制御を行う。これにより、ＴＶ電波受信状況が劣化した際のＴＶ信号受信部１２における電力消費が低減される。【選択図】        図１
2005033671.tif 000002
【特許請求の範囲】
【請求項１】
電池を電源にして動作し、屋外でのテレビジョン（ＴＶ）放送の受信が可能な携帯型受像装置において、
前記ＴＶ放送を受信して映像信号及び音声信号を生成する受信部と、
前記受信部の動作中、前記受信部によるＴＶ信号の受信レベルを所定の時間間隔で検出し、前記受信レベルが予め設定した許容レベル以下になったときに前記受信部への電源供給を遮断し、前記電源供給の遮断後、所定の時間間隔で前記受信部を間欠的に動作させて前記受信レベルを検出し、前記受信レベルが許容レベル以上であるときに前記受信部への電源供給を再開する制御部を備えることを特徴とする携帯型受像装置。
【請求項２】
前記制御部は、前記電源供給の遮断が人為的に行われたか否かを記憶する記憶部を備え、前記電源供給の遮断が人為的に行われたときには、前記電源供給の遮断後における前記受信レベルの検出処理及び前記電源供給を再開する制御は行わないことを特徴とする請求項１記載の携帯型受像装置。
【請求項３】
前記制御部は、前記受信レベルに対して比較のための閾値を設定し、前記許容レベル以下か以上かを判定することを特徴とする請求項１記載の携帯型受像装置。
【請求項４】
前記制御部は、前記受信部への電源供給を遮断しているとき、スピーカ等への音声出力及び表示部への映像出力を行わないことを特徴とする請求項１記載の携帯型受像装置。
【請求項５】
移動通信のための無線による送受信を無線部により行う電話機能、及びテレビジョン（ＴＶ）放送を受信して映像信号及び音声信号を受信部により生成するＴＶ機能を備え、前記いずれかの機能をユーザが選択して使用できると共に、動作電源に電池を用いる携帯端末装置において、
前記ＴＶ機能が選択されて前記受信部が動作しているときに前記受信部によるＴＶ信号の受信レベルを所定の時間間隔で検出し、前記受信レベルが予め設定した許容レベル以下になったときに前記受信部への電源供給を遮断し、前記電源供給の遮断後、所定の時間間隔で前記受信部を間欠的に動作させて受信レベルを検出し、前記受信レベルが許容レベル以上であるときに前記受信部への電源供給を再開する制御部を備えることを特徴とする携帯端末装置。
【請求項６】
前記制御部は、前記ＴＶ機能が人為的にオフにされたか否かを記憶する記憶部を備え、前記ＴＶ機能が人為的にオフにされたときには、前記電源供給の遮断後の前記受信レベルの検出処理及び前記電源供給を再開する制御は行わないことを特徴とする請求項５記載の携帯端末装置。
【請求項７】
前記制御部は、前記受信部への電源供給を遮断後、前記受信部を間欠的に動作させる毎に受信する放送チャネルを変更して前記受信レベルを検出することを特徴とする請求項５記載の携帯端末装置。
【請求項８】
前記電話機能は、携帯電話又はＰＨＳに対応し、
前記制御部は、前記受信レベルの検出タイミングを携帯電話又はＰＨＳ(Personal Handyphone System)の基地局検索タイミングに同期させていることを特徴とする請求項５記載の携帯端末装置。
【発明の詳細な説明】
【技術分野】
【０００１】
本発明は、携帯型受像装置及び携帯端末装置に関し、特に、テレビジョン（ＴＶ）放送の受信状況が劣化したときには受信部への電源をオフにし、電源である電池の使用可能時間が長くなるようにした携帯型受像装置及び携帯端末装置に関する。
【背景技術】
【０００２】
日常生活において、電話機とテレビジョン（ＴＶ）受像機（又は、ＴＶ受信機）は、必須の電子機器となっており、半導体技術の発展、液晶ディスプレィ（ＬＣＤ）のカラー化、高性能化等の実現に伴って、それぞれ携帯型の機種が開発されている。例えば、屋外でＴＶ受信を可能にした携帯型受像装置は、数インチ程度の表示部（ＬＣＤ等）に画像を表示させることで掌に載る大きさにまで小型軽量化が図られている。
【０００３】
また、携帯電話機、ＰＨＳ(Personal Handyphone System)電話機、ＰＤＡ（Personal Digital Assistant）装置等の携帯端末装置においても、小型軽量化及び長時間使用が可能になった。特に、携帯電話機やＰＨＳ電話機は、１００グラム台に小型軽量化され、５００時間程度の待ち受け時間が可能になるなど、性能が向上した結果、目ざましく普及している。
【０００４】
従来、上記した携帯端末装置や携帯型受像装置は、個別の装置として用いられることが前提になっていた。このため、個々の装置は、多機能化が図られている場合でも、本来の主機能に関連する機能を追加することが主になっている。例えば、携帯電話機の場合、電話機能に対し、電子電話帳機能、メール機能、メモ機能、ゲーム機能等が付加されたものになっている。
【０００５】
近年、半導体装置の高密度実装等が可能になったことから、携帯電話機やＰＨＳ電話機にデジタルカメラの機能を付加したものが市販され、その実用性が注目されている。このように、将来は、主たる機能を複数有する複合機が多くなるものと考えられる。特に、電話機能とＴＶ受信機能を備える装置は、その小型軽量化が図られるようになれば、幅広い年齢層の人に受け入れられる商品になるものと予想される。
【０００６】
しかし、ＴＶ機能は消費電流が多いにもかかわらず、その視聴は長時間に及ぶことが多いため、電池を電源にした場合、満充電の状態からでも最長で２時間程度しか見られない。この視聴可能時間の短さから、携帯端末装置にＴＶ機能を組み込むことが躊躇されている。例えば、ＴＶ機能付き携帯電話機とした場合、電池残量が無くなってしまうと、本来の電話機能を使用できなくなってしまう。このため、ＴＶ機能の動作中は消費電流をできる限り低減させる必要がある。
【０００７】
図７は、従来の携帯型受像装置の動作を示す。携帯型受像装置の電源スイッチが操作され、（ａ）のように電源がオンにされると、（ｃ）のようにＴＶ受信部に電源供給が行われ、ＴＶ電波の受信が開始される。携帯型受像装置を屋外で使用した場合、受信場所等により受信状況が左右され、受信レベルが変動しやすい。特に、移動しながらの受信では受信レベルが変化しやすい。（ｂ）の「Ｔ１」区間のように、電波状況が良好で受信レベルが大きい時には、ＴＶ映像、ＴＶ音声共にノイズ無く再生でき、ＴＶ視聴に間題は生じない。しかし、携帯型受像装置が移動することにより、（ｂ）の「Ｔ２」区間のように、電波状況が劣化し、ＴＶ信号の受信レベルが或るレベル以下になると、（ｄ）及び（ｅ）のように、ＴＶ映像及びＴＶ音声は共にノイズが目立つようになり、ＴＶ放送の視聴が楽しめない状況になる。
【０００８】
しかし、従来の携帯型受像装置は、電源をオンにしている間は、電波の受信状態にかかわらずＴＶ映像及びＴＶ音声を常時再生するように回路が構成されている。したがって、ＴＶ放送の視聴を楽しむことができなくなってしまうような電波状況が悪い時でも、装置内の全ての回路に電源供給が行われており、電池を電源にした携帯型受像装置では、電流消費が無視できなくなる。
【０００９】
図８は、電波受信状況に応じて電源を制御する構成の従来の携帯型受像装置の動作を示す。（ａ）のように電源がオンにされた後、ＴＶ視聴中の音声信号の電界強度を観測（検出）し、予め設定されたしきい値より小さくなったとき、（ｃ）のようにＴＶ音声受信回路及びＴＶ映像受信回路の電源をオフにして、（ｄ）及び（ｅ）のように映像及び音声を無出力にする。また、しきい値よりも大きくなったときには、ＴＶ音声受信回路及びＴＶ映像受信回路の電源をオンに制御することにより、装置の消費電流を低減する方法が提案されている（例えば、特許文献１参照）。
【００１０】
また、放送終了を受信電波の有無により判定し、受信電波が無くなったとき、予め定めた時間の経過後に受像機全体の電源をオフにするテレビジョン受像機が提案されている（例えば、特許文献２参照）。
【特許文献１】実開平０１−１０３９７７号公報
【特許文献２】実開平０１−１３２１８４号公報
【発明の開示】
【発明が解決しようとする課題】
【００１１】
しかし、従来の受像装置によると、ＴＶ音声受信回路とＴＶ映像受信回路の電源をオフしているときでも、常時、受信レベルは観測する必要がある。そのため、ＴＶ信号を受信する回路の電源は常にオン状態にしておかなければならない。従って、その分だけ受像装置の電源が無駄に消費されている。
【００１２】
また、携帯型の受像装置では、移動時には安定してＴＶの受信を受けることができないことがある。この場合、ＴＶ画像やＴＶ音声のノイズが多くなり、ＴＶ視聴を楽しむことができなくなる。電波状況が回復すればＴＶ視聴を楽しむことができるが、電波状況が良くなるまではＴＶ視聴を楽しめないにもかかわらず、受信系の回路が電流を消費しているため、電池の消耗は早くなる。
【００１３】
ノイズが多くなったとき、使用者の操作によりＴＶ機能をオフにすればよいが、再び電波状況が良くなったか否かを確認するためには、いちいちＴＶ機能をオンにして確認する必要性がある。このため、携帯型のＴＶ装置は、使用者の利便性も考慮しながら、電流消費量をできるだけ低減させる必要がある。
【００１４】
したがって、本発明の目的は、ＴＶ電波の受信状況に応じて電源供給を制御し、消費電流の削減及び装置の使用可能時間を延長させることが可能な携帯型受像装置及び携帯端末装置を提供することにある。
【００１５】
本発明は、上記の目的を達成するため、第１の特徴として、電池を電源にして動作し、屋外でのテレビジョン（ＴＶ）放送の受信が可能な携帯型受像装置において、前記ＴＶ放送を受信して映像信号及び音声信号を生成する受信部と、前記受信部の動作中、前記受信部によるＴＶ信号の受信レベルを所定の時間間隔で検出し、前記受信レベルが予め設定した許容レベル以下になったときに前記受信部への電源供給を遮断し、前記電源供給の遮断
後、所定の時間間隔で前記受信部を間欠的に動作させて前記受信レベルを検出し、前記受信レベルが許容レベル以上であるときに前記受信部への電源供給を再開する制御部を備えることを特徴とする携帯型受像装置を提供する。
【００１６】
本発明は、上記の目的を達成するため、第２の特徴として、移動通信のための無線による送受信を無線部により行う電話機能、及びテレビジョン（ＴＶ）放送を受信して映像信号及び音声信号を受信部により生成するＴＶ機能を備え、前記いずれかの機能をユーザが選択して使用できると共に、動作電源に電池を用いる携帯端末装置において、前記ＴＶ機能が選択されて前記受信部が動作しているときに前記受信部によるＴＶ信号の受信レベルを所定の時間間隔で検出し、前記受信レベルが予め設定した許容レベル以下になったときに前記受信部への電源供給を遮断し、前記電源供給の遮断後、所定の時間間隔で前記受信部を間欠的に動作させて受信レベルを検出し、前記受信レベルが許容レベル以上であるときに前記受信部への電源供給を再開する制御部を備えることを特徴とする携帯端末装置を提供する。
【００１７】
上記した携帯型受像装置及び携帯端末装置によれば、受信部が動作しているとき、受信部によるＴＶ信号の受信レベルが所定の時間間隔で検出され、前記受信レベルが許容レベル以下であれば受信部への電源供給が遮断され、この電源遮断後、所定の時間間隔で受信部を間欠的に動作させ、その際の受信レベルが許容レベル以上であれば受信部への電源供給が再開される。したがって、ＴＶの視聴に適しない受信状況のときには受信部への電源供給が断たれるため、その分だけ消費電力を低減でき、ＴＶ視聴を楽しむ時間を延長することができる。
【発明の効果】
【００１８】
以上より明らかなように、本発明の携帯型受像装置及び携帯端末装置によれば、受信部が動作しているとき、受信部によるＴＶ信号の受信レベルが所定の時間間隔で検出され、前記受信レベルが許容レベル以下であれば受信部への電源供給が遮断され、この電源遮断後、所定の時間間隔で受信部を間欠的に動作させ、その際の受信レベルが許容レベル以上であれば受信部への電源供給が再開される。したがって、ＴＶの視聴に適しない受信状況のときには受信部への電源供給が断たれるため、その分だけ消費電力を低減でき、ＴＶ視聴を楽しむ時間を延長することができる。
【発明を実施するための最良の形態】
【００１９】
以下、本発明の実施の形態を図面に基づいて説明する。
【００２０】
〔第１の実施の形態〕
図１は、本発明の第１の実施の形態にかかる携帯型受像装置を示す。携帯型受像装置１は、アンテナ１１と、ＴＶ信号受信部１２（受信部）と、ＣＰＵ１３と、映像処理・駆動部１４と、音声処理部１５と、プログラム格納メモリ１６と、データ格納メモリ１７（記憶部）と、電源としての電池１８と、電源スイッチ１９と、スイッチ回路２０と、ＬＣＤ（LiquidCrystal Display：液晶ディスプレィ）表示部２１と、操作部２２と、スピーカ２３と、タイマ２４とを備えて構成されている。２５は、ＣＰＵ１３とデジタル処理する他の回路とを接続するバス（bus）であり、アドレスバス、データバス、及びコントロールバスを含んでいる。また、ＣＰＵ１３とスイッチ回路２０により制御部が形成されている。
【００２１】
アンテナ１１は、テレビ放送の全チャンネルの周波数を受信可能な周波数帯をカバーする特性を備え、例えば、伸縮型のロッドアンテナが用いられる。更に、高感度に受信が行えるように、外付けアンテナを接続又は付属させることができる。ＴＶ信号受信部１２は、チューナ部、映像中間周波増幅器、映像検波回路等を備えて構成され、操作部２２によ
り指定されたチャンネルに同調するように動作する。ＣＰＵ１３は、例えば、ワンチップマイクロコンピュータ等を用いて構成され、プログラム格納メモリ１６に格納されたプログラムに応じて携帯型受像装置１の全体を制御すると共に操作部２２による設定内容に応じた制御を実行する。
【００２２】
映像処理・駆動部１４は、映像増幅回路、映像信号生成回路、同期信号生成回路等のほか、映像信号及び同期信号（水平及び垂直）に基づいてＬＣＤ表示部２１を駆動するための駆動回路を備えて構成され、ＴＶ信号受信部１２に接続されている。音声処理部１５は、ＴＶ信号受信部１２からの音声検波信号を増幅してスピーカ２３を駆動する。スピーカ２３は、電気−音響変換して音声を出力する。
【００２３】
プログラム格納メモリ１６は、携帯型受像装置１を動作させるためのプログラムが格納されたＲＯＭ（リード・オンリー・メモリ）である。データ格納メモリ１７は、選択したチャンネルのデータ、閾値データ、その他のデータが格納される半導体メモリである。
【００２４】
電池１８は、充電可能な二次電池、又は使い切りの乾電池であり、電源スイッチ１９を通して各回路に電源供給を行う。スイッチ回路２０は、ＣＰＵ１３からの指令により、電池１８からＴＶ信号受信部１２への電源供給のオン／オフ切り替えを実行するリレー又は電子スイッチである。
【００２５】
ＬＣＤ表示部２１は、ＬＣＤユニット、バックライト等を備えて構成され、映像処理・駆動部１４により表示駆動される。操作部２２はＣＰＵ１３に接続され、チャンネルを選択するためのボタン（又はキー）及びチャンネルスキャンを行うためのボタン等のほか、音量調節器、音質調整器等を含んでいる。タイマ２４はＣＰＵ１３に接続され、受信レベルを観測する周期を決定する時間を設定する。
【００２６】
図２は、図１の構成による携帯型受像装置１の動作を示す。まず、携帯型受像装置１の使用者（ユーザ）によりｔ１のタイミングで電源スイッチ１９が波形（ａ）のようにオンにされ、更に、操作部２２の操作によりＴＶ機能がオンにされる。この操作に基づいて、ＣＰＵ１３はスイッチ回路２０をオンにさせ、波形（ｄ）のようにＴＶ信号受信部１２に電池１８からの電源を供給させる。ＴＶ信号受信部１２以外の各回路には、電源スイッチ１９のオンと同時に電源供給が行われる。
【００２７】
ＴＶ信号受信部１２及びその他の回路が動作することにより、映像処理・駆動部１４で処理された画像が波形（ｆ）のようにＬＣＤ表示部２１に表示され、同時に、音声処理部１５で処理された音声が波形（ｇ）のようにスピーカ２８から出力される。これにより、ＴＶ放送を通常の状態で楽しむことができる。
【００２８】
ＴＶ視聴が開始されると、タイマ２４で設定されたタイミング毎にＴＶ信号受信部１２からのＴＶ信号２６の受信レベルが波形（ｅ）のように観測される。ＣＰＵ１３は、観測された波形（ｂ）の受信レベルと、データ格納メモリ１７に格納された閾値（Ｔｈｏｆｆ）とを比較する。その結果、ＴＶ信号受信レベルが閾値（Ｔｈｏｆｆ）よりも大きい場合には、ＴＶ電波の受信状況は良好であると判断し、継続してタイマ２４からのタイミング毎に波形（ｅ）の受信レベルを観測する。
【００２９】
一方、（ｅ）の受信レベルが閾値（Ｔｈｏｆｆ）よりも小さかった場合には、ＴＶ電波の受信状況が劣化していると判断し、ＣＰＵ１３は波形（ｄ）のＴＶ受信部電源制御信号を制御し、ＴＶ信号受信部１２の電源のみをオフ状態にする。同時に、ＣＰＵ１３は、波形（ｆ）及び（ｇ）のように、ＴＶ音声信号の出力とＴＶ映像信号の出力も行わないように制御する。このとき、ＬＣＤ表示部２１には、通常の待ち受け画面が出力される。なお
、音声出力は無音状態になる。
【００３０】
上記のようにＴＶ機能をオフ状態にしたときは、ＴＶ機能オフ中のレベル観測有無データがデータ格納メモリ１７に記憶される。この場合のレベル観測有無データは、ユーザの操作に依らず自動的にＴＶ機能がオフにされたものであるため、“観測有り”状態として記憶される。観測有無データが“観測有り”のときは、ＴＶ信号受信部１２の電源をオフ状態にした後も、タイマ２４によるタイミング毎にＴＶ信号受信部１２の電源を波形（ｄ）のように一時的（タイミングｔ２、ｔ３、ｔ４）にオン状態にし、波形（ｃ）のＴＶ信号の受信レベルを観測する。このときの観測タイミングは、間欠的に電源オンにする回数を少なくするため、ＴＶ信号受信部１２の電源オン時の場合よりも間隔を長くする。
【００３１】
ここで、ＴＶ機能オフ中の観測有無データとは、ＴＶ機能をオフにしているときにＴＶ信号の受信レベル観測を実施するか否かという情報である。ユーザの選択によりＴＶ機能がオフにされた場合、観測有無データは“観測無し”に設定され、ＴＶ信号の受信レベル観測は行われない。一方、ユーザ操作とは間係なく自動的にＴＶ機能がオフにされたときには、観測有無データは“観測有り”として設定され、ＴＶ機能オフ中にＴＶ信号の受信レベル観測が行われるようにＣＰＵ１３による制御が行われる。
【００３２】
タイミングｔ２、ｔ３、ｔ４においては、観測された波形（ｅ）のＴＶ信号２６の受信レベルとデータ格納メモリ１７に格納された閾値（Ｔｈｏｎ）とが比較される。タイミングｔ２、ｔ３、ｔ４では、ＴＶ信号２６の受信レベルが閾値（Ｔｈｏｎ）よりも小さいため、ＴＶ電波の受信状況は劣化したままと判断され、継続してタイマ２４によるタイミング毎に受信レベルが観測される。
【００３３】
更に、タイミングｔ５に至ると、受信レベルが閾値（Ｔｈｏｎ）よりも大きいため、ＴＶ電波の受信状況は良好な状態に転じたと判断され、ＣＰＵ１３はスイッチ回路２０を制御し、波形（ｄ）のようにＴＶ信号受信部１２の電源を常時オン状態にし、同時に、ＴＶ音声をスピーカ２３に出力すると共にＴＶ映像をＬＣＤ表示部２１に出力するように制御し、波形（ｆ）及び（ｇ）のように、再びＴＶ視聴状態にする。この時、ＴＶ機能オフ中の観測有無データは“観測無し”状態に変更する。
【００３４】
この後、ＴＶの視聴状態において、携帯型受像装置１の使用者によってＴＶ機能がオフ又はＴＶ信号受信部１２の電源がオフにされ、又は、ＴＶ音声やＴＶ映像の出力をオフにする等の制御が行われた場合でも、再び使用者によってＴＶ機能がオンにされるまでは、受信レベルの観測は行わない。
【００３５】
以上のように、携帯型受像装置１がオンであれば、タイマ２４で設定のタイミングによりＴＶ信号受信部１２の受信レベルが観測され、閾値との比較によりＴＶ信号受信部１２の電源のオン／オフが決定される。つまり、ＴＶ視聴中に受信電波の状態が劣化したときには自動的にＴＶ信号受信部１２がオフ状態にされ、受信状況が良好な状態に転じたときには自動的にＴＶ信号受信部１２がオン状態にされる。これにより、ＴＶ機能がオフ時の消費電流を削減することが可能になる。
【００３６】
〔第２の実施の形態〕
図３は、本発明の第２の実施の形態に係る携帯端末装置の構成を示す。ここでは、携帯端末装置として、ＴＶ機能付きの携帯電話機について説明する。図３の携帯端末装置３０は、携帯電話部と、ＴＶ機能部と、電源としての電池４９とからなる。
【００３７】
携帯電話部は、携帯電話用アンテナ３１と、無線部３２と、ベースバンド部３３と、音声ＣＯＤＥＣ／制御部３４と、送話器としてのマイク３５と、受話器としてのレシーバ（
スピーカ）３６と、表示データ制御部３７と、ＬＣＤ表示部３８と、ＣＰＵ３９と、操作部としてのキーマトリックス４０と、タイマ４１と、プログラム格納メモリ４２と、データ格納メモリ４３（記憶部）とを備えて構成される。４４は、ＣＰＵ３９とデジタル処理する他の回路とを接続するバス（bus）であり、アドレスバス、データバス、及びコントロールバスを含んでいる。更に、ＴＶ機能部は、ＴＶ用アンテナ４５と、ＴＶ信号受信部４６（受信部）と、スイッチ回路４７と、電源スイッチ４８とからなる。また、ＣＰＵ３９とスイッチ回路４７により制御部が形成されている。
【００３８】
携帯端末装置３０の外観は、専用機として構成された携帯電話機に準ずるものであり、折り畳み型、ストレート型等の形状をなし、ＬＣＤ表示部３８は、携帯電話として機能するときには電話番号、メール内容、ダウンロード内容、キーマトリックス４０からの入力内容等が表示される。ＬＣＤ表示部３８の表示サイズは、携帯電話を主体にした場合、２インチ程度となる。また、ＴＶ機能の実行時には、ＴＶ受信画像が表示される。携帯電話用アンテナ３１とＴＶ用アンテナ４５は、干渉を避けるために距離を離して設置するのが望ましい。
【００３９】
携帯電話用アンテナ３１は、ロッドアンテナ等の外部アンテナとＦ型アンテナ等による内蔵アンテナを含む構成であり、ＴＶ用アンテナ４５は、テレビ放送の全チャンネルの周波数を受信可能な周波数帯をカバーする特性を備える伸縮型のロッドアンテナである。更に、高感度に受信が行えるように、外付けアンテナを付属させてもよい。
【００４０】
無線部３２は、８００ＭＨｚ帯、１５００ＭＨｚ帯等においてＰＤＣ（Personal Digital Cellular ）方式やＣＤＭＡ（CodeDevision Multiple Access ）方式に対応した電波形式で送受信をする送受信回路及び変復調回路等を備えて構成されている。ベースバンド部３３は、音声ＣＯＤＥＣ／制御部３４からの信号を携帯電話の無線区間の信号フォーマットに変換して無報部３２に送り、また、無線部３２で復調された信号をデジタル受話音声信号にしてレシーバ３６へ出力する。
【００４１】
音声ＣＯＤＥＣ／制御部３４は、ベースバンド部３３からのデジタル受話音声信号をアナログ化してレシーバ３６から受話音声として出力すると共に、マイク３５からのアナログ送話音声信号をデジタル化する。更に、ＴＶ信号受信部４６からの音声信号を処理してレシーバ３６を駆動する。表示データ制御部３７は、ＴＶ信号受信部４６によるＴＶ映像信号をＬＣＤ表示部３８に表示するための処理（映像信号、水平及び垂直の同期信号の生成）を行うほか、携帯電話の電話番号、メール等の表示をＬＣＤ表示部３８に表示させるための処理を実行する。ＬＣＤ表示部３８は、ＬＣＤユニット、バックライト等を備えて構成され、表示データ制御部３７により表示駆動される。
【００４２】
ＣＰＵ３９は、ワンチップ（one chip）マイクロコンピュータ等を用いて構成され、プログラム格納メモリ４２に格納されたプログラムに応じて携帯端末装置３０の全体を制御すると共にキーマトリックス４０による設定内容に応じた制御を実行する。例えば、格納メモリ４２，４３からのデータを読み出し、データ格納メモリ４３へのデータの書き込みのほか、バス４４に接続されている各回路部の制御を行う。キーマトリックス４０は、０〜９の数字ボタン、「＃」や「＊」の記号ボタン、各種機能選択ボタン、及びチャンネルスキャンを行うためのボタン等を含んでいる。タイマ４１は、ＴＶ機能の実行時に、受信レベルを観測する周期を決める時間を設定する。
【００４３】
プログラム格納メモリ４２は、携帯端末装置３０における電話機能及びＴＶ機能を実行するためのプログラムが格納されたＲＯＭ（リード・オンリー・メモリ）である。データ格納メモリ４３は、選択したチャンネルのデータ、閾値データ、携帯電話の電子電話帳、メール内容、着信情報、メモ内容、録音内容、その他のデータが格納されるフラッシュメ
モリ等の半導体メモリである。
【００４４】
ＴＶ信号受信部４６は、チューナ部、映像中間周波増幅器、映像検波回路等を備えて構成され、キーマトリックス４０により指定された放送チャンネルに同調するように動作する。電池４９は、充電可能な二次電池又は乾電池であり、電源スイッチ４８を通して各回路に電源供給を行う。スイッチ回路４７はリレー又は電子回路を用いて構成され、ＣＰＵ３９からの指令により、電池４９からＴＶ信号受信部４６への電源供給のオン／オフ切り替えを実行する。
【００４５】
携帯端末装置３０が携帯電話として使用される場合、マイク３５から入力されたアナログの送話音声信号は、音声ＣＯＤＥＣ／制御３４によってデジタル化される。デジタル化された送話音声信号は、ベースバンド部３３により携帯電話の無線区間の信号フォーマットに変換され、無報部３２で変調された後、電波として携帯電話用アンテナ３１から基地局へ送信される。
【００４６】
逆に、基地局からの電波は、携帯電話用アンテナ３１で受信された後、無線部３２で復調され、更にベースバンド部３３によってデジタル受話音声信号に処理される。このデジタル受話音声信号は、音声ＣＯＤＥＣ／制御部３４によってアナログ化され、レシーバ３６から受話音声として出力される。なお、携帯端末装置３０が携帯電話として使用されているとき、ＣＰＵ３９はスイッチ回路４７を駆動してＴＶ信号受信部４６と電池４９との接続を断ち、ＴＶ信号受信部４６による消費電流が発生しないようにしている。
【００４７】
次に、ＴＶ機能を用いて携帯端末装置３０をＴＶ受像機として動作させた場合の動作について説明する。ＴＶ用アンテナ４５で受信したＴＶ信号は、ＴＶ信号受信部４６によってＴＶ音声信号５１とＴＶ映像信号５２に分離して出力される。ＴＶ音声信号５１とＴＶ映像信号５２はアナログ信号で出力され、ＴＶ音声信号５１は音声ＯＯＤＥＣ／制御部３４に入力され、ＴＶ機能の実行時にはＴＶ放送の音声信号がレシーバ３６に出力される。
【００４８】
ＴＶ映像信号５２は、表示データ制御部３７に入力される。表示データ制御部３７は、ＴＶ映像信号５２をアナログデータからデジタルデータに変換した後、ＬＣＤ表示部３８に出力され、ＴＶの映像信号がＬＣＤ表示部３８に表示される。なお、ＴＶ機能の実行時、ＣＰＵ３９は、無線部３２及びベースバンド部３３をバス４４を介して間欠受信状態（定期的に基地局を検索する状態）に制御している。
【００４９】
ＴＶ機能をオフ中の観測有無データとは、ＴＶ機能をオフしているときにＴＶ信号の受信レベル観測を実施するか実施しないかという情報であり、ユーザの操作によりＴＶ機能がオフされたときは、観測有無データは“観測無し”と設定してＴＶ信号の受信レベル観測は行わない。一方、ユーザ操作とは間係なく自動的にＴＶ機能がオフされたときは、観測有無データは“観測有り”として設定してＴＶ機能オフ中にＴＶ信号の受信レベル観測を実行する。
【００５０】
図４は、図３の携帯端末装置３０の動作を示す。図中、「Ｓ」はステップを意味している。この図４と、図２及び図３を用いて携帯端末装置３０のＴＶ機能を用いた場合の動作について以下に説明する。
【００５１】
次に、図３の携帯端末装置３０の動作について、図３、図４及び図２を参照して説明する。使用者（ユーザ）が電源スイッチ４８をオンにすると（Ｓ１０１）、ＴＶ信号受信部４６を含む全回路に電源が供給され、電話機能又はＴＶ機能が選択可能な状態になる。ここで、ユーザがＴＶ機能を選択したとすると（Ｓ１０２）、放送チャンネルを指定できる状態になる。そこで、ユーザはキーマトリックス４０を操作して視聴したい放送チャンネ
ルを選択する（Ｓ１０３）。チャンネルが選択されると、ＴＶ信号受信部４６は受信を開始し、ＣＰＵ３９によって音声ＣＯＤＥＣ／制御部３４、表示データ制御部３７等が制御され、ＴＶの視聴が可能な状態になる（Ｓ１０４）。
【００５２】
ＴＶ視聴が開始されると、ＣＰＵ３９は、波形（ｃ）に示すように、タイマ４１で設定されたタイミングによりＴＶ信号５３の受信レベルを観測する（Ｓ１０５）。タイマ４１のタイミング毎にＴＶ信号受信部４６からの波形（ｂ）に示す受信レベルがＣＰＵ３９によって観測される。ＣＰＵ３９は、観測した受信レベルとデータ格納メモリ４３に格納された閾値（Ｔｈｏｆｆ）とを比較する（Ｓ１０６）。その結果、波形（ｂ）に示す受信レベルが閾値（Ｔｈｏｆｆ）よりも大きい場合、ＴＶ電波の受信状況は良好であると判断し、映像出力及び音声出力を継続し、更に、タイマ４１に基づく観測も継続する。
【００５３】
一方、ＴＶ信号受信部４６から出力される受信レベル５３がＴｈｏｆｆよりも小さい場合、ＴＶ電波の受信状況が劣化していると判断し、スイッチ回路４７を波形（ｄ）のように制御し、ＴＶ信号受信部４６の電源をオフ状態にし（Ｓ１０７）、タイマ４１によるタイミングのときにのみ瞬間的にオン状態にする。このとき、同時にＴＶ音声信号とＴＶ映像信号の出力も行わないように制御する（Ｓ１０８）。なお、ＬＣＤ表示部３８には、通常の待ち受け画面が出力される。ＴＶ機能がオフ状態にされたとき、ＴＶ機能オフ中のレベル観測有無データはデータ格納メモリ４３に記憶される。この場合、ユーザの操作に依らず自動的にオフにされたことから、観測有無データは“観測有り”状態としてデータ格納メモリ４３に記憶される。
【００５４】
観測有無データが“観測有り”のとき、ＴＶ信号受信部４６の電源をオフ状態にした後も、タイマ４１からのタイミング毎にＴＶ信号受信部８の電源を一時的にオン状態にし、ＴＶ信号５３の受信レベルを観測する（Ｓ１０９）。観測された値とデータ格納メモリ４３に格納された閾値（Ｔｈｏｎ）とを比較する（Ｓ１１０）。波形（ｂ）のＴＶ受信信号５３のレベルが閾値（Ｔｈｏｎ）よりも小さい場合（Ｎｏ）、ＴＶ電波の受信状況が劣化したままであると判断し、タイマ４１によるタイミング毎に継続して受信レベルを観測する。
【００５５】
ＴＶ受信信号５３のレベルが閾値（Ｔｈｏｎ）よりも大きい場合（Ｙｅｓ）、ＴＶ電波の受信状況が良好な状態に転じたと判断し、ＣＰＵ３９はスイッチ回路４７を制御し、電池４９とＴＶ信号受信部４６を接続してＴＶ信号受信部４６を連続オンの状態にする（Ｓ１１１）。同時に、波形（ｅ）及び（ｆ）に示すように、ＣＰＵ３９はＴＶ音声をレシーバ３６に出力させると共にＬＣＤ表示部３８にＴＶ映像を出力させ（Ｓ１１２）、ＴＶ視聴が可能な状態にする。この時、ＴＶ機能オフ中のデータ格納メモリ４３の観測有無データは、“観測無し”状態に変更する。
【００５６】
これ以後のＴＶ視聴の状態において、使用者によって携帯端末装置３０のＴＶ機能がオフ（Ｓ１１４）又はＴＶ信号受信部４６の電源がオフにされ、又はＴＶ音声とＴＶ映像の出力無しの制御がＣＰＵ３９によって行われ、これに対して使用者が再びＴＶ機能をオンにする（Ｓ１０３）までは、受信レベルの観測は行われない。なお、ＴＶ視聴中に電源スイッチ４８がオフにされれば（Ｓ１１３）、携帯端末装置３０は電源オフになる。
【００５７】
Ｓ１０２において電話機能が選択された場合、携帯端末装置３０は通常の携帯電話機として用いることができる。オフフックを行って電話番号を入力すれば、通話のための処理が行われる。また、メモ機能、メール機能等も指定の操作を行うことにより実行できる。電話機能の実行中に電源スイッチ４８がオフにされれば（Ｓ１１６）、携帯端末装置３０は電源オフになるし、ＴＶ機能を選択すれば（Ｓ１１７）、処理はＳ１０３へ移行し、上記したＴＶ視聴のための処理が実行される。
【００５８】
以上のように、ＴＶ視聴中にＴＶ電波の状況が劣化し、自動的にＴＶ機能がオフ状態にされた場合、タイマ４１で設定されたタイミングにより受信レベルが観測され、閾値との比較結果に基づいてＴＶ信号受信部４６の電源のオン／オフ制御が行われる。これにより、ＴＶ機能付きの携帯端末装置３０においても、ＴＶ機能のオフ時の消費電流を削減することが可能となり、携帯端末装置３０の電源消費を削減でき、携帯端末装置３０の使用時間の延長が可能になり、電波受信レベルが変化する環境下においてもＴＶ視聴を長時間楽しむことが可能になる。
【００５９】
図５は、図３の構成の携帯端末装置３０において、ＴＶの受信チャンネルを順次切り替えられた場合の動作を示す。ＴＶの受信チャンネルを順次切り替えていくことで、受信状況が良好な電波の検索が素早く行え、ＴＶ視聴状態への復帰を早めることができる。なお、ＴＶの受信チャンネルの設定は、ＣＰＵ３９がデータ格納メモリ４３に格納されているＴＶのチャネル設定情報のデータを参照し、バス４４を介してＴＶ信号受信部４６に設定することにより実現できる。
【００６０】
図５の（ｆ）のように、ＴＶ機能の実行時、最初にチャンネル１（ｃｈ１）が選択されているとする。そのＴＶ視聴中に、タイマ４１に設定のタイミングでＴＶ電波の受信状況が観測される。その観測過程で、ＴＶ信号受信部４６からのＴＶ信号５３の受信レベルと閾値（Ｔｈｏｆｆ）の比較が行われる。ｔ１２の時点でＴＶ電波の状況が劣化していた場合、「閾値（Ｔｈｏｆｆ）＞受信レベル」が判定され、ＴＶ信号受信部４６への電源供給が停止される。
【００６１】
受信状況は、全チャンネルで同じとは限らず、受信周波数帯によっては受信レベルが劣化していないか、僅かに劣る程度のこともある。そこで、視聴しているチャンネルからの変更になっても、ＴＶ視聴さえできればよいという場合を考慮し、図５では、ＴＶ用アンテナ４５の電源オフ後に、チャンネル変更を実施している。
【００６２】
ＴＶ信号受信部４６がオフにあるとき、観測有無データを“観測有り”にし、タイマ４１の設定タイミングによりスイッチ回路４７が間欠的にオンにされ、ＴＶ放送のチャンネル番号を順次繰り上げて受信し、その際の受信状況が観測される。例えば、図５の（ｄ）に示すように、ｔ１３の時点では「ｃｈ１」、ｔ１４の時点では「ｃｈ２」、ｔ１５の時点では「ｃｈ３」という具合にチャンネル番号を順次変更し、その都度、受信状況を観測する。
【００６３】
図５の（ｂ）のように、ｔ５の時点でチャンネル「ｃｈ３」を受信したときに受信状況が好転した場合、受信状況の観測結果は、「受信レベル５３＞閾値（Ｔｈｏｎ）」となる。そこで、ＣＰＵ３９はスイッチ回路４７をオンにし、電池４９の電源をＴＶ信号受信部４６に供給してＴＶ信号受信部４６をオン状態にし、波形（ｆ），（ｇ）のように、「ｃｈ３」によるＴＶ視聴を開始する。
【００６４】
図６は、ＴＶ信号の受信レベル観測タイミングと、携帯電話の基地局検索タイミングの関係を示す。通常、携帯電話は、待ち受け動作中に一定周期で基地局の検索を行っている。このタイミングと、ＴＶ信号の受信レベル観測タイミングとを共通化することも可能である。共通化することにより、携帯端末装置３０内のタイマ資源を削減することができる。
【００６５】
なお、上記実施の形態においては、閾値（Ｔｈｏｆｆ）と閾値（Ｔｈｏｎ）が同一であるとしたが、両者は異なる値に設定されていてもよい。また、タイマ２４，４１によるタイミングは、ＴＶ視聴時（ＴＶ信号受信部１２，４６に電源供給時）と、ＴＶ信号受信部
１２，４６への電源オフ時とで異なる設定にしたが、同じであってもよい。
【００６６】
また、表示部は、ＬＣＤを用いるものとしたが、他の動作原理で表示が行われる表示器、例えば、プラズマディスプレィであってもよい。
【図面の簡単な説明】
【００６７】
【図１】本発明の実施の形態にかかる携帯型受像装置を示すブロック図である。
【図２】図１の構成による携帯型受像装置の動作を示すタイミングチャートである。
【図３】本発明の実施の形態に係る携帯端末装置の構成を示すブロック図である。
【図４】図３の携帯端末装置の動作を示すフローチャートである。
【図５】図３の構成の携帯端末装置において、ＴＶの受信チャンネルを順次切り替えられた場合の動作を示すタイミングチャートである。
【図６】ＴＶ信号の受信レベル観測タイミングと携帯電話の基地局検索タイミングの関係を示すタイミングチャートである。
【図７】従来の携帯型受像装置の動作を示すタイミングチャートである。
【図８】電波受信状況に応じて電源を制御する構成の従来の携帯型受像装置の動作を示すタイミングチャートである。
【符号の説明】
【００６８】
１  携帯型受像装置
１１  アンテナ
１２，４６  ＴＶ信号受信部
１３，３９  ＣＰＵ
１４  映像処理・駆動部
１５  音声処理部
１６，４２  プログラム格納メモリ
１７，４３  データ格納メモリ
１８，４９  電池
１９，４８  電源スイッチ
２０，４７  スイッチ回路
２１，３８  ＬＣＤ表示部
２２  操作部
２３  スピーカ
２４，４１  タイマ
２５, ４４  バス
２６  Ｔｖ信号
３０  携帯端末装置
３１  携帯電話用アンテナ
３２  無線部
３３  ベースバンド部
３４  音声ＣＯＤＥＣ／制御部
３５  マイク
３６  レシーバ
３７  表示データ制御部
４０  キーマトリックス
４５  ＴＶ用アンテナ
５１  ＴＶ音声信号
５２  ＴＶ映像信号
５３  ＴＶ信号
【図１】
2005033671.tif 000003
【図２】
2005033671.tif 000004
【図３】
2005033671.tif 000005
【図４】
2005033671.tif 000006
【図５】
2005033671.tif 000007
【図６】
2005033671.tif 000008
【図７】
2005033671.tif 000009
【図８】
2005033671.tif 000010